(57)【特許請求の範囲】
【請求項１】
シートベルトに摺動可能に支持されかつ前記シートベルトをショルダーベルトとラップベルトに区画するとともに、バックルに係合可能に設けられるタングにおいて、
前記シートベルトが挿通する細長いベルト挿通孔と、
前記ベルト挿通孔の一部を形成するとともに前記シートベルトが摺動するシートベルト摺動面を有するシートベルト摺動部とを有し、
前記シートベルト摺動部は、前記シートベルト摺動面の一部に設けられた所定数の凹部を有するとともに、前記凹部内に点状に互いに独立して設けられた所定数の突起を有し、
前記突起は、いずれも、通常時に前記シートベルトとシートベルト摺動部との間の摺動抵抗が小さいとともに、緊急時に前記シートベルトが前記ラップベルト側に摺動する際の前記シートベルトとシートベルト摺動部との間の摺動抵抗が、前記シートベルトが前記ショルダーベルト側に摺動する際の前記シートベルトとシートベルト摺動部との間の摺動抵抗より大きくなるように設けられており、
前記シートベルト摺動面は、少なくとも前記ベルト挿通孔の長手方向の両端部に設けられるシートベルト摺動面と、前記ベルト挿通孔の長手方向に設けられて前記両端部における前記シートベルト摺動面を一体的に連結するシートベルト摺動面とを有し、
前記突起は、いずれも、前記凹部から前記シートベルト摺動面より突出しないように設けられることを特徴とするタング。
【請求項２】
前記突起の前記ショルダーベルト側の端面が平面またはほぼ平面であるとともに、前記突起の前記ラップベルト側の端面が円弧状またはほぼ円弧状の曲面であることを特徴とする請求項１に記載のタング。
【請求項３】
前記突起のうち、少なくとも一部の突起の前記ショルダーベルト側の端面が前記シートベルトに対して直交またはほぼ直交するように設けられるとともに、前記少なくとも一部の突起の前記ラップベルト側の端面が前記シートベルトに対して斜交するように設けられることを特徴とする請求項２に記載のタング。
【請求項４】
前記凹部は、いずれも、前記シートベルトの装着時において前記シートベルトの前記ベルト挿通孔への挿通方向と同方向に延設されているかまたは前記挿通方向とほぼ同方向に延設されていることを特徴とする請求項１ないし３のいずれか１つに記載のタング。
【請求項５】
前記突起は、前記シートベルトの装着時において前記凹部の延設方向と同方向に整列されて設けられているか、または前記凹部の延設方向とほぼ同方向に整列されて設けられていることを特徴とする請求項４に記載のタング。
【請求項６】
シートベルトと、このシートベルトを巻き取るシートベルトリトラクタと、前記シートベルトに摺動可能に支持されたタングと、このタングが挿入係合されるバックルとを少なくとも備え、前記タングを前記バックルに挿入係合することで前記シートベルトが乗員に装着されるシートベルト装置において、
前記タングが請求項１ないし５のいずれか１つに記載のタングからなることを特徴とするシートベルト装置。
【発明の詳細な説明】
【技術分野】
【０００１】
本発明は、シートベルト装置に用いられかつシートベルトに摺動可能に支持されるとともに、車体等に固定されたバックルに係合されるタングおよびこれを用いたシートベルト装置の技術分野に関するものである。
【背景技術】
【０００２】
従来から自動車等の車両シートに付設されているシートベルト装置は、衝突時等の車両に大きな減速度が作用した場合のような緊急時に、シートベルトで乗員を拘束している。
この種のシートベルト装置として、一般に３点式シートベルト装置が広く知られ、多用されている。周知の一般的な３点式シートベルト装置は、シートベルトリトラクタから引き出されかつ先端が車体に固定されたシートベルトがベルトガイドで乗員の方へガイドされる。ガイドされたシートベルトには、タングが摺動可能に支持されている。その場合、シートベルトはタングの細長いベルト挿通孔に挿通される。そして、タングが車体に固定されたバックルに係合されることで、シートベルトが乗員に装着されるようになっている。シートベルトが乗員に装着された状態では、ベルトガイドとタングとの間のシートベルトが乗員の肩および胸に装着されるショルダーベルトとして機能し、また、車体に固定された一端とタングとの間のシートベルトが乗員のラップ（腰）に装着されるラップベルトとして機能する。そして、前述の緊急時には、シートベルトリトラクタのロック機構が作動してシートベルトの引き出しが阻止されて乗員の慣性による前方移動が阻止され、乗員がシートベルトにより拘束される。
【０００３】
特に、近年では、シートベルトリトラクタはプリテンショナーを備え、緊急時の初期にこのプリテンショナーが作動してシートベルトリトラクタがシートベルトを巻き取ることによりシートベルトの緩みが迅速に低減される。これにより、乗員の前方移動が抑制されて乗員の拘束効果が向上されている。更に、シートベルトリトラクタはエネルギ吸収（ＥＡ）機構を備え、このエネルギ吸収機構により緊急ロック機構の作動時にシートベルトが若干引き出されて、乗員のシートベルトに対する衝撃エネルギが吸収緩和されている。
【０００４】
ところで、このようなシートベルト装置においては、一般に、緊急時にシートベルトリトラクタの緊急ロック機構が作動しても、乗員の慣性力でラップベルトが若干伸びて乗員が若干前方へ移動する。このため、ラップベルトによる乗員の拘束を効果的に行うことが難しくなる。その場合、前述のようにプリテンショナーで緊急事態発生時にベルトの緩みが除去されても、プリテンショナーの作動終了後、つまり緊急時の初期におけるシートベルト巻取り終了後に、同様にして乗員の慣性力でラップベルトが伸び出してしまう。
【０００５】
そこで、シートベルトの通常操作時にはシートベルトとシートベルト摺動面との間の摩擦が小さくされることで、シートベルトがタングに対して滑らかに摺動し、緊急時にはシートベルトとシートベルト摺動面との間の摩擦が大きくされることで、シートベルトがラップベルト側に伸び出さないようにしたタングが提案されている（例えば、特許文献１参照）。
【０００６】
この特許文献１に記載のタングでは、タングのベルト挿通孔のシートベルト摺動面に、ベルト挿通孔の長手方向にほぼ直線状に連続して伸びる多数の軸方向溝とベルト挿通孔の長手方向とほぼ直交する方向に連続して伸びる多数の周方向溝とが設けられる。その場合、各軸方向溝および各周方向溝各溝は細長いベルト挿通孔のシートベルト摺動面の長手方向全領域に設けられている。そして、シートベルトの通常操作時には、シートベルトがほぼシートベルト摺動面のみを摺動するようにしてシートベルトとシートベルト摺動面との
間の摩擦が小さくされる。これにより、シートベルトの通常操作時にはシートベルトがタングに対して滑らかに摺動する。また緊急時には、乗員の慣性力でシートベルトがタングの両側において引っ張られることで、シートベルトの張力が増大する。そして、増大する張力で、シートベルトが軸方向溝と周方向溝とにめり込んでシートベルトとシートベルト摺動面との間の摩擦が大きくなる。これにより、緊急時にはシートベルトのラップベルト側への伸出しが抑制される。このように、緊急時にシートベルトのラップベルト側の伸出しが抑制されることで、ラップベルトによる乗員の拘束性が高められる。
【０００７】
また、特許文献１には、ベルト挿通孔の長手方向にほぼ直線状に連続して伸びる複数の突条がベルト摺動面に、このベルト摺動面から突出しかつ周方向に所定の間隔を置いて設けられる。これらの突条により、シートベルトの通常操作時と緊急時とでシートベルトとシートベルト摺動面との間の摩擦を変化させることが開示されている。その場合、シートベルトの通常操作時には、シートベルトが各突条の表面のみを摺動することで、シートベルトとシートベルト摺動面との間の摩擦が小さくなる。また、緊急時には増大するシートベルトの張力で各突条がラップベルト側に倒れて、シートベルトがベルト摺動面の他の部分の表面でも摺動することで、シートベルトとシートベルト摺動面との間の摩擦が大きくされる。
【０００８】
更に、特許文献１には、ベルト摺動面から突出する複数の樹脂部材を設け、これらの樹脂部材により、シートベルトの通常操作時と緊急時とでシートベルトとシートベルト摺動面との間の摩擦を変化させることが開示されている。その場合、シートベルトの通常操作時には、シートベルトが各樹脂部材の表面のみを摺動するようにしている。これにより、シートベルトとシートベルト摺動面との間の摩擦が小さくなる。また、緊急時には増大するシートベルトの張力で各樹脂部材が潰れるかあるいは切断されて、シートベルトがベルト摺動面の他の部分の表面でも摺動するようにしている。これにより、シートベルトとシートベルト摺動面との間の摩擦が大きくなる。
【先行技術文献】
【特許文献】
【０００９】
【特許文献１】特開２００９−１６６５８６号公報。
【発明の概要】
【発明が解決しようとする課題】
【００１０】
ところで、特許文献１に記載のタングでは、シートベルトとシートベルト摺動面との間の摩擦に大きく関与する軸方向溝が、シートベルト摺動面のベルト挿通孔の長手方向の全面にほぼ直線状に連続して形成されている。このため、緊急時にシートベルトの張力が増大したとき、シートベルトがほぼ直線状の軸方向溝内に効果的にめり込まなくなる。したがって、この軸方向溝によっては、緊急時にシートベルトとシートベルト摺動面との間に大きな摩擦を得ることは難しい。
【００１１】
また、突条も前述の軸方向溝と同様に、シートベルト摺動面のベルト挿通孔の長手方向の全面にほぼ直線状に連続して形成されている。このため、この突条によっても緊急時にシートベルトとシートベルト摺動面との間に大きな摩擦を得ることは難しい。しかも、緊急時に突条が倒れて、シートベルトが通常のシートベルト摺動面に接触するだけであるので、シートベルトとシートベルト摺動面との間に大きな摩擦がより効果的に得ることは難しい。更に、シートベルト摺動面に突出して設けられる樹脂部材は、緊急時に単に潰れるかあるいは切断されるように形成されている。このため、この樹脂部材も緊急時に潰れるかあるいは切断されて、シートベルトが通常のシートベルト摺動面に接触するだけであるので、シートベルトとシートベルト摺動面との間に大きな摩擦がより効果的に得ることは難しい。
【００１２】
したがって、特許文献１に記載のタングでは、緊急時にラップベルトの伸出しの一定の抑制効果は得られるものの、緊急時にラップベルトの伸出しを更に効果的に抑制するための余地がある。
【００１３】
更に、軸方向溝、周方向溝、突条、および樹脂部材のシートベルトの摺動方向に沿う断面形状が、いずれも、それらのショルダーベルト側およびラップベルト側のいずれにおいてもほぼ同じ断面形状とされている。すなわち、軸方向溝、周方向溝、突条、および樹脂部材のシートベルトの摺動方向に沿う断面形状が、いずれも、シートベルトの摺動方向に対して方向性を有さない形状とされている。このため、特許文献１に記載のタングでは、軸方向溝、周方向溝、突条、および樹脂部材のいずれにおいても、シートベルトの通常操作時と緊急時とでシートベルトとシートベルト摺動面との間の摩擦を効果的に変化させることは難しい。
【００１４】
本発明は、このような事情に鑑みてなされたものであって、その目的は、緊急時にラップベルトの伸出しをより効果的に抑制して、シートベルトによる乗員の拘束性を更に一層向上することのできるタングおよびこれを用いたシートベルト装置を提供することである。
【課題を解決するための手段】
【００１５】
前述の課題を解決するために、本発明に係るタングは、シートベルトに摺動可能に支持されかつ前記シートベルトをショルダーベルトとラップベルトに区画するとともに、バックルに係合可能に設けられるタングにおいて、前記シートベルトが挿通する細長いベルト挿通孔と、前記ベルト挿通孔の一部を形成するとともに前記シートベルトが摺動するシートベルト摺動面を有するシートベルト摺動部とを有し、前記シートベルト摺動部が、前記シートベルト摺動面の一部に設けられた所定数の凹部を有するとともに、前記凹部内に点状に互いに独立して設けられた所定数の突起を有し、前記突起が、いずれも、通常時に前記シートベルトとシートベルト摺動部との間の摺動抵抗が小さいとともに、緊急時に前記シートベルトが前記ラップベルト側に摺動する際の前記シートベルトとシートベルト摺動部との間の摺動抵抗が、前記シートベルトが前記ショルダーベルト側に摺動する際の前記シートベルトとシートベルト摺動部との間の摺動抵抗より大きくなるように設けられており、前記シートベルト摺動面が、少なくとも前記ベルト挿通孔の長手方向の両端部に設けられるシートベルト摺動面と、前記ベルト挿通孔の長手方向に設けられて前記両端部における前記シートベルト摺動面を一体的に連結するシートベルト摺動面とを有し、前記突起が、いずれも、前記凹部から前記シートベルト摺動面より突出しないように設けられることを特徴としている。
【００１６】
また、本発明に係るタングは、前記突起の前記ショルダーベルト側の端面が平面またはほぼ平面であるとともに、前記突起の前記ラップベルト側の端面が円弧状またはほぼ円弧状の曲面であることを特徴としている。
更に、本発明に係るタングは、前記突起のうち、少なくとも一部の突起の前記ショルダーベルト側の端面が前記シートベルトに対して直交またはほぼ直交するように設けられるとともに、前記少なくとも一部の突起の前記ラップベルト側の端面が前記シートベルトに対して斜交するように設けられることを特徴としている。
【００１７】
更に、本発明に係るタングは、前記凹部が、いずれも、前記シートベルトの装着時において前記シートベルトの前記ベルト挿通孔への挿通方向と同方向に延設されているかまたは前記挿通方向とほぼ同方向に延設されていることを特徴としている。
更に、本発明に係るタングは、前記突起が、前記シートベルトの装着時において前記凹部の延設方向と同方向に整列されて設けられているか、または前記凹部の延設方向とほぼ
同方向に整列されて設けられていることを特徴としている。
【００１８】
一方、本発明に係るシートベルト装置は、シートベルトと、このシートベルトを巻き取るシートベルトリトラクタと、前記シートベルトに摺動可能に支持されたタングと、このタングが挿入係合されるバックルとを少なくとも備え、前記タングを前記バックルに挿入係合することで前記シートベルトが乗員に装着されるシートベルト装置において、前記タングが前述の本発明のタングのいずれか１つに記載のタングからなることを特徴としている。
【発明の効果】
【００１９】
このように構成された本発明に係るタングによれば、シートベルト摺動部が、シートベルト摺動面の一部に設けられた所定数の凹部を有するとともに、当該凹部内に点状に互いに独立して設けられた所定数の突起を有している。したがって、通常時には、シートベルトがシートベルト摺動面に対して摺動することで、タングとシートベルトとの間の摺動抵抗を小さくできる。これにより、所定数の突起を設けても、通常時にはタングをシートベルトに対して容易にかつ滑らかに摺動させることができる。その結果、通常時のタングの取り扱いを容易にすることができる。
【００２０】
また、凹部内に所定数の突起が点状に互いに独立して設けられることで、突起の周囲を大きく窪ませることができる。緊急時に乗員の慣性移動によりシートベルトの張力が増大したときは、シートベルトが突起によって容易に撓んで突起の全周にわたって効果的に食い込むようになる。これにより、タングのシートベルト摺動部に対するシートベルトの摺動抵抗を効果的に大きくすることが可能となる。したがって、シートベルト巻取り終了後の乗員の慣性によるシートベルトの張力増大時においてはラップベルトの伸出しを効果的に抑制することができる。その結果、緊急時に乗員の腰がラップベルトによって堅固に拘束されて、前述の特許文献１に記載のタングの場合に比べて、シートベルトのラップベルトによる乗員拘束性を更に大きく向上させることが可能となる。
【００２１】
更に、突起が、いずれも、通常時にシートベルトとシートベルト摺動部との間の摺動抵抗が小さいとともに、緊急時にシートベルトがラップベルト側に摺動する際のシートベルトとシートベルト摺動部との間の摺動抵抗がシートベルトがショルダーベルト側に摺動する際のシートベルトとシートベルト摺動部との間の摺動抵抗より大きくなるようにされている。すなわち、シートベルトの摺動方向に沿う突起の断面形状が、いずれも、シートベルトの摺動方向に対して方向性を有する。これにより、緊急時の初期にプリテンショナの作動等でシートベルトリトラクタがシートベルトを巻き取る際、シートベルトが突起に比較的強く当接しても、シートベルトをラップベルト側からショルダーベルト側に容易にかつ滑らかに摺動させることが可能となる。したがって、シートベルトによる初期の乗員拘束性を向上させることが可能となる。また、緊急時の初期のシートベルト巻取り終了後の乗員の慣性によるシートベルトの張力増大時においては、シートベルトとシートベルト摺動部との間の大きな摺動抵抗によりラップベルトの伸出しを更に効果的に抑制することができる。その結果、乗員の慣性移動に対してシートベルトによる乗員拘束性を更に一層向上させることが可能となる。
【００２２】
特に、突起のショルダーベルト側の端面が平面またはほぼ平面であるとともに、ラップベルト側の端面が円弧状またはほぼ円弧状の曲面であることにより、簡単な構造で、緊急時の初期のシートベルト巻取りにおけるシートベルトの摺動性を良好にさせ、緊急時の初期のシートベルト巻取り終了後の乗員の慣性によるシートベルトの張力増大時におけるラップベルトの伸出しを効果的に抑制することができる。したがって、乗員の腰がラップベルトによって堅固に拘束されて、シートベルトによる乗員拘束性を向上させることが可能となる。更に、少なくとも一部の突起のショルダーベルト側の端面がシートベルトに対し
て直交またはほぼ直交するように設けられるとともに、少なくとも一部の突起のラップベルト側の端面がシートベルトに対して斜交するように設けられることで、前述のラップベルトの伸出しを更に効果的に抑制することができる。
【００２３】
また、シートベルト摺動面が、少なくとも、ベルト挿通孔の長手方向の両端部に設けられるとともにベルト挿通孔の長手方向にこれらの両端部におけるシートベルト摺動面を一体的に連結するように設けられる。これにより、シートベルト摺動面に所定数の凹部を設けても、少なくとも通常時にはシートベルトの長手方向の両側端がベルト挿通孔の長手方向の両端部のシートベルト摺動面に位置するとともにシートベルトの幅方向の部分がベルト挿通孔の長手方向の両端部のシートベルト摺動面を一体的に連結するシートベルト摺動面に位置するようになる。このため、通常時にシートベルトの両側端が凹部に位置する可能性が低減するとともに、シートベルトの幅方向の部分が凹部内の突起に当接しても小さい当接力で当接するようになる。したがって、シートベルト摺動面に、突起が設けられた所定数の凹部を設けても、通常時には、シートベルトがシートベルト摺動面を摺動する際に凹部内の突起に小さい当接力で当接するだけであるので、タングとシートベルトとの間の摺動抵抗を小さくできるとともに、タングのベルト挿通孔におけるシートベルトの反転が抑制されて、タングとシートベルトとの間の摺動性を向上することが可能となる。その結果、タングおよびシートベルトの取扱い性が向上する。
【００２４】
更に、突起が、いずれも、凹部からシートベルト摺動面より外側に突出しないように設けられることで、通常時には、シートベルトがシートベルト摺動面に対して摺動して突起にはほとんど当接しなく、仮に突起に当接してもその当接力はきわめて小さい。したがって、所定数の突起を設けてもタングとシートベルトとの間の摺動抵抗を小さくできる。これにより、通常時には所定数の突起を設けても、タングをシートベルトに対して容易にかつ滑らかに摺動させることができ、通常時のタングの取り扱いを更に一層容易にすることができる。
【００２５】
更に、凹部がシートベルト挿通方向と同方向またはほぼ同方向に設けられるとともに、突起が凹部の延設方向と同方向またはほぼ同方向に整列されて設けられることで、通常時でのタングとシートベルトとの間の摺動性を良好にするとともに、緊急時でのラップベルトの伸出しを更に効果的に抑制することができる。
【００２６】
一方、本発明のタングを用いた本発明のシートベルト装置によれば、通常時のタングのシートベルトに対する摺動を容易にかつ滑らかにできるとともに、緊急時の乗員の慣性移動によるシートベルトの伸出しの際にシートベルトのタングに対する摺動が抑制されてラップベルトの伸出しをより効果的に抑制できる。これにより、通常時に乗員によるシートベルトの装着性をより一層向上することができるとともに、緊急時に乗員の拘束性をより一層向上することができる。
【図面の簡単な説明】
【００２７】
【図１】本発明に係るタングを備えたシートベルト装置の実施の形態の一例を模式的に示す図である。
【図２】（ａ）はこの例のシートベルト装置に用いられている本発明のタングの実施の形態の一例を模式的に示す正面図（ラップベルト側を示す図）、（ｂ）は（ａ）におけるIIB−IIB線に沿う断面図、（ｃ）は裏面図（ショルダーベルト側を示す図）である。
【図３】（ａ）はこの例のシートベルト摺動部材の正面図（ラップベルト側を示す図）、（ｂ）は下面図、（ｃ）は図３（ｂ）におけるIIIC−IIIC線に沿う断面図である。
【図４】（ａ）はこの例の突起の下面図、（ｂ）は（ａ）におけるIVB−IVB線に沿う断面図、（ｃ）は（ａ）におけるIVC−IVC線に沿う断面図である。
【図５】（ａ）はこの例の突起によるシートベルトの挙動を説明する断面図、（ｂ）は緊急時にこの突起によるシートベルトの挙動を説明する下面図、（ｃ）は（ｂ）におけるVC−VC線に沿う断面図、（d）は（b）におけるVD−VD線に沿う断面図である。
【図６】本発明のタングの実施の形態の他の例を模式的に示す、図３（ｂ）と同様の下面図である。
【発明を実施するための形態】
【００２８】
以下、図面を用いて本発明を実施するための形態について説明する。
図１は本発明に係るタングを備えたシートベルト装置の実施の形態の一例を模式的に示す図である。
【００２９】
図１に示すように、この例のシートベルト装置１は、基本的には従来公知の三点式シートベルト装置と同じである。図中、１はシートベルト装置、２は車両シート、３は車両シート２の近傍に配設されたシートベルトリトラクタ、４はシートベルトリトラクタ３に引き出し可能に巻き取られかつ先端のベルトアンカー４ａが車体の床あるいは車両シート２に固定されるシートベルト、５はシートベルトリトラクタ３から引き出されたシートベルト４を乗員のショルダーの方へガイドするガイドアンカー、６はこのガイドアンカー５からガイドされてきたシートベルト４に摺動自在に支持されたタング、７は車体の床あるいは車両シートに固定されかつタング６が係脱可能に挿入係止されるバックルである。
このシートベルト装置１におけるシートベルト４の装着操作および装着解除操作も、従来公知のシートベルト装置と同じである。
【００３０】
そして、シートベルト４の非装着時では、タング６がバックル７に係合されず、シートベルト４はその全量（巻取り可能な量）をシートベルトリトラクタ３に巻き取られている。また、シートベルト４の乗員への装着時では、シートベルト４はシートベルトリトラクタ３から所定量引き出されて、タング６がバックル７に係合される。その後、タング６から手を放すと、余分に引き出されたシートベルト４はシートベルトリトラクタ３に巻き取られる。こうして、シートベルト４が乗員に装着される。
【００３１】
シートベルト４の乗員への装着状態において、タング６はシートベルト４をショルダーベルト４ｂとラップベルト４ｃとに区画する。その場合、ガイドアンカー５とタング６との間のシートベルト４の部分が乗員の肩および胸を拘束するショルダーベルト４ｂであり、ベルトアンカー４ａとタング６との間のシートベルト４の部分が乗員の腰を拘束するラップベルト４ｃである（図１に、ベルト非装着状態であるが、説明の便宜上、対応する個所に符号４ｂ,４ｃを示す）。
【００３２】
この例のシートベルト装置１に用いられているシートベルトリトラクタ３には、従来の一般的な緊急ロック式シートベルトリトラクタ（ＥＬＲ）あるいは自動ロック式シートベルトリトラクタ（ＡＬＲ）を用いることができる。
【００３３】
したがって、シートベルト４の装着状態において、前述の緊急時以外の通常時は、シートベルト４は通常のベルト引出し速度で自由に引出し可能である。また、前述の緊急時は、シートベルトリトラクタ３がシートベルト４の引出しをロックし、シートベルト４は乗員を拘束して乗員の慣性移動を阻止する。なお、この例のシートベルトリトラクタ３は、図示しないが前述のプリテンショナーおよびＥＡ機構を備えている。なお、本発明では、これらのプリテンショナーおよびＥＡ機構は省略することもできる。
【００３４】
図２（ａ）はこの例のシートベルト装置に用いられている本発明のタングの実施の形態の一例を模式的に示す正面図（ラップベルト側を示す図）、図２（ｂ）は図２（ａ）におけるIIB−IIB線に沿う断面図、図２（ｃ）は裏面図（ショルダーベルト側を示す図）である。
【００３５】
図２（ａ）ないし（ｃ）に示すように、この例のタング６は、金属製の略Ｔ字状のタングプレート８およびこのタングプレート８の把持部に対応する部分を樹脂で被覆した樹脂モールド部９を有している。タングプレート８の樹脂モールド部９に直交する部分はバックル７に挿入可能なバックル挿入部１０であり、このバックル挿入部１０にはタング６がバックル７のラッチ（不図示）に係合可能にする矩形状の係合孔１１が設けられている。
【００３６】
また、タング６の樹脂モールド部９には、シートベルト４が挿通される細長いベルト挿通孔１２が設けられている。このベルト挿通孔１２の長手方向に沿う両側縁部のうち、タングプレート８のバックル挿入部１０と反対側の側縁部には、ベルト挿通孔１２に挿通されたシートベルト４が摺動する細長いシートベルト摺動部材１３（本発明のシートベルト摺動部に相当）が設けられている。このシートベルト摺動部材１３は、樹脂モールド部９の樹脂と一体モールド成形されているとともに、ベルト挿通孔１２の一部を形成している。
【００３７】
図２（ｂ）に示すように、シートベルト摺動部材１３のシートベルト摺動面１４の、長手方向と直交する横断面は円弧状に形成されている。また、図３（ａ）ないし（ｃ）に示すように、シートベルト摺動部材１３のシートベルト摺動面１４には、シートベルト４の装着時にシートベルト４の挿通方向と同方向または挿通方向とほぼ同方向に傾斜して伸びる凹部１５,１６が設けられている。これらの凹部１５,１６には、それぞれ、所定数（図示例では、長手方向に３個でシートベルト挿通方向に６個の計１８個）突起１７が点状に互いに独立して設けられている。その場合、各突起１７はシートベルト摺動部材１３のの長手方向に整列されているとともに、シートベルト４の装着時に凹部１５,１６の延設方
向と同方向またはほぼ同方向に整列されて設けられている。これらの突起１７はほぼ同じような形状に形成されている。
【００３８】
図４（ａ）に示すように、突起１７は下面視でシートベルト挿通方向に若干長い略長方形に形成されている。また図４（ｂ）に示すように、シートベルト挿通方向（図４（ａ）において上下方向；上方向がラップベルト４ｃ側）において、ショルダーベルト４ｂ側の端面１７ａは平面またはほぼ平面とされているとともにシートベルト挿通方向においてラップベルト４ｃ側の端面１７ｂは、横断面が大きな半径Ｒ１の円の円弧状の曲面とされている。そして、両端面１７ａ,１７ｂが交差する突起１７の先端１７ｃは、端面１７ｂの
半径Ｒ１よりかなり小さな半径Ｒ２の円の円弧状部（Ｒ部）とされている。なお、ショルダーベルト４ｂ側の端面１７ａおよびラップベルト４ｃ側の端面１７ｂは、いずれも前述の形状に限定されることはない。また、先端１７ｃは、Ｒ部に代えて、角張ったエッジ部とすることもできる。更に図４（ａ）および（ｃ）に示すように、シートベルト挿通方向に伸びる両側端面１７ｄ,１７ｅは、端面１７ｂに向かって互いに接近するように傾斜し
た横断面略台形状の傾斜面とされている。その場合、両側端面１７ｄ,１７ｅの傾斜角は
、絶対値で互いに等しくされているが、これに限定されることはない。
【００３９】
そして、図２（ｂ）および図５（ａ）に示すように各突起１７の少なくとも一部の突起１７は、ショルダーベルト４ｂ側の端面１７ａがバックル挿入部１０の突設方向とほぼ同じ方向となるようにして設けられている。これにより、ショルダーベルト４ｂ側の端面１７ａはシートベルト摺動部材１３を摺動するシートベルト４に対して直交またはほぼ直交する方向となるとともに、ラップベルト４ｃ側の端面１７ｂがシートベルト摺動部材１３を摺動するシートベルト４に対して緩やかに傾斜して斜交するようになる。つまり、図４（ｂ）に示すようにシートベルト摺動面１４の円弧の同心円αが突起１７に接する接点βにおける同心円αの接線γと接点βにおけるショルダーベルト４ｂ側の端面１７ａの平面とがなす角度θ１が、同心円αの接線γと接点βにおけるラップベルト４ｃ側の端面１７ｂの円弧状曲面の接線δとがなす角度θ２より大きく設定される。したがって、図５（ａ）に示すようにショルダーベルト４ｂ側の端面１７ａは、この端面の仮想延長線ε（実際には延長面）が、ベルト摺動面１４を摺動する円弧状のシートベルト４の内周側に交差する点ζを通る接線ηと仮想延長線εとのなす角度θ３がほぼ直角となる（つまり、端面１７ａはシートベルトにほぼ直交する）。すなわち、シートベルト４の摺動方向に沿う突起１７の断面形状が、いずれも、シートベルト４の摺動方向に対して方向性を有する。
【００４０】
更に、図３（ｃ）に示すように突起１７の先端１７ｃは、シートベルト摺動面１４より
凹部１５,１６内に位置される（先端１７ｃの高さがシートベルト摺動面１４の高さより
低い）か、あるいはシートベルト摺動面１４と同一面（先端１７ｃの高さがシートベルト摺動面１４の高さと同じ）にされている。すなわち、突起１７の先端１７ｃは凹部１５,
１６からシートベルト摺動面１４より突出しない（先端１７ｃの高さがシートベルト摺動面１４の高さより高くない）ようにされている。
【００４１】
このように構成されたこの例のタング６においては、通常時（緊急時以外のとき）にシートベルト４がタング６に対して摺動する場合（タング６のバックル７への係合操作による場合、シートベルト装着状態での乗員自らが意図する移動による場合等）は、図５（ａ）に実線で示すようにシートベルト４はシートベルト摺動部材１３のシートベルト摺動面１４に対して摺動する。このとき、突起１７の先端１７ｃがシートベルト摺動面１４より突出していないので、シートベルト４は突起１７の先端１７ｃに当接しないか、あるいは先端１７ｃに当接力がほとんどない状態で当接する。したがって、通常時にはシートベルト４はタング６に対して、ショルダーベルト４ｂ側およびラップベルト４ｃ側のいずれの方向にも容易にかつ滑らかに摺動するようになる。
【００４２】
また、前述の緊急時には、図示しないプリテンショナーの作動によりシートベルトリトラクタ３がシートベルト４を所定量巻き取って乗員を比較的強く拘束した後、シートベルト４の引出しをロックする。このプリテンショナーの作動によるシートベルト４の巻取りでシートベルト４には張力が発生する。このため、図５（ａ）に点線で示すようにシートベルト４は、各突起１７に通常時より比較的大きな当接力で当接する。しかし、前述のようにラップベルト４ｃ側の端面１７ｂがシートベルト４の摺動方向に対して緩やかに傾斜した比較的大径の傾斜面とされているので、シートベルト４が各突起１７に通常時より比較的大きな当接力で当接しても、シートベルト４は容易にかつ滑らかに摺動する。これにより、シートベルト４はシートベルトリトラクタ３に安定して巻き取られる。
【００４３】
次いで、乗員の慣性移動により、シートベルト４がショルダーベルト４ｂおよびラップベルト４ｃのいずれの方向にも引っ張られようとする。このとき、ラップベルト４ｃ側に引っ張られる力がショルダーベルト４ｂ側に引っ張られる力より大きいと、シートベルト４はラップベルト４ｃ側に引っ張られようになる。また、このときにはシートベルト４にはかなり大きな張力が発生する。このため、図５（ｂ）ないし図５（ｄ）に示すようにシートベルト４は当接する突起１７に比較的大きく食い込まれて、シートベルト摺動部材１３に対するシートベルト４の摺動抵抗が大きくなる。特に、各突起１７が点状に互いに独立して設けられて各突起１７の周囲が窪んでいるので、シートベルト４は突起１７によって容易に撓んで突起１７の全周にわたって効果的に食い込まれるようになる。したがって、シートベルト４の摺動抵抗がより一層大きくなる。しかも、ショルダーベルト４ｂ側の端面１７ａがシートベルト４の摺動方向に対してほぼ直交する方向となっているので、図５（ｃ）に示すようにシートベルト４は端面１７ａ側で突起１７に大きく食い込まれ、シートベルト４の摺動抵抗が更に大きくなる。したがって、シートベルト４はラップベルト４ｃ側に容易に伸び出さなく、ラップベルト４ｃの伸出しが効果的に抑制される。これにより、乗員の腰がラップベルト４ｃによって堅固に拘束される。
【００４４】
このように、所定数の突起１７はいずれも、通常時にシートベルト４とシートベルト摺動部材１３との間の摺動抵抗が小さいとともに、緊急時にシートベルト４がラップベルト４ｃ側に摺動する際のシートベルト４とシートベルト摺動部材１３との間の摺動抵抗が、シートベルト４がショルダーベルト４ｂ側に摺動する際のシートベルト４とシートベルト摺動部材１３との間の摺動抵抗より大きくなるように設けられている。すなわち、各突起１７は、いずれも、シートベルト４の摺動方向に対して方向性を有する。
【００４５】
この例のタング６によれば、シートベルト摺動部材１３が、シートベルト摺動面１４に
設けられた所定数の凹部１５,１６を有するとともに、これらの凹部１５,１６内に点状に互いに独立して設けられた所定数の突起１７を有している。したがって、通常時には、シートベルト４がシートベルト摺動面１４に対して摺動するので、タング６とシートベルト４との間の摺動抵抗を小さくできる。これにより、所定数の突起１７を設けても、通常時にはタング６をシートベルト４に対して容易にかつ滑らかに摺動させることができる。その結果、通常時のタング６の取り扱いを容易にすることができる。
【００４６】
また、凹部１５,１６内に所定数の突起１７が点状に互いに独立して設けられることで
、突起の周囲を大きく窪ませることができる。緊急時に乗員の慣性移動によりシートベルト４の張力が増大したときは、シートベルト４が突起によって容易に撓んで突起の全周にわたって効果的に食い込ませることができる。これにより、タング６のシートベルト摺動部材１３に対するシートベルトの摺動抵抗を効果的に大きくすることが可能となる。したがって、シートベルト巻取り終了後の乗員の慣性によるシートベルト４の張力増大時においてはラップベルト４ｃの伸出しを効果的に抑制することができる。その結果、緊急時に乗員の腰がラップベルト４ｃによって堅固に拘束されて、前述の特許文献１に記載のタングの場合に比べて、シートベルト４のラップベルト４ｃによる乗員拘束性を大きく向上させることが可能となる。
【００４７】
更に、所定数の突起１７が、いずれも、通常時にシートベルト４とシートベルト摺動部材１３との間の摺動抵抗が小さいとともに、緊急時にシートベルト４がラップベルト４ｃ側に摺動する際のシートベルト４とシートベルト摺動部材１３との間の摺動抵抗がシートベルト４がショルダーベルト４ｂ側に摺動する際のシートベルト４とシートベルト摺動部材１３との間の摺動抵抗より大きくなるようにされている。これにより、緊急時の初期にプリテンショナの作動等でシートベルトリトラクタ３がシートベルト４を巻き取る際、シートベルト４が突起１７に比較的大きな当接力で当接しても、シートベルト４をラップベルト４ｃ側からショルダーベルト４ｂ側に容易にかつ滑らかに摺動させることが可能となる。したがって、シートベルト４による初期の乗員拘束性を向上させることが可能となる。また、シートベルト巻取り終了後の乗員の慣性によるシートベルト４の張力増大時においては、シートベルト４とシートベルト摺動部材１３との間の大きな摺動抵抗によりラップベルト４ｃの伸出しを更に効果的に抑制することができる。したがって、乗員の慣性移動に対してシートベルト４による乗員拘束性を更に一層向上させることが可能となる。
【００４８】
更に、突起１７のショルダーベルト４ｂ側の端面１７ａが平面またはほぼ平面であるとともに、ラップベルト４ｃ側の端面１７ｂが円弧状またはほぼ円弧状の曲面であることにより、簡単な構造で、緊急時の初期のシートベルト巻取りにおけるシートベルト４の摺動性を良好にさせ、緊急時の初期のシートベルト巻取り終了後の乗員の慣性によるシートベルト４の張力増大時におけるラップベルト４ｃの伸出しを効果的に抑制することができる。したがって、乗員の腰がラップベルト４ｃによって堅固に拘束されて、シートベルト４による乗員拘束性を向上させることが可能となる。更に、突起１７のうち少なくとも一部の突起１７において、シートベルト摺動面１４の円弧の同心円αが突起１７に接する接点βにおける同心円αの接線γと接点βにおけるショルダーベルト４ｂ側の端面１７ａの平面とがなす角度θ１が、同心円αの接線γと接点βにおけるラップベルト４ｃ側の端面１７ｂの円弧状曲面の接線δとがなす角度θ２より大きく設定することで、前述のラップベルト４ｃの伸出しを更に効果的に抑制することができる。
【００４９】
更に、シートベルト摺動面１４が、少なくともベルト挿通孔１２の長手方向の両端部に設けられる。これにより、シートベルト摺動面１４に凹部１５,１６を設けても、シート
ベルト４の長手方向の両側端がベルト挿通孔１２の長手方向の両端部のシートベルト摺動面１４に位置するようになるので、シートベルト４の両側端が凹部１５,１６に位置する
可能性が低減する。したがって、シートベルト摺動面１４に凹部１５,１６を設けても、
タング６のベルト挿通孔１２におけるシートベルト４の反転が抑制されて、タング６とシートベルト４との間の摺動性を更に向上することが可能となる。その結果、タング６およびシートベルト４の取扱い性がより一層向上する。
【００５０】
更に、突起１７が、いずれも、凹部１５,１６からシートベルト摺動面１４より外側に
突出しないように設けられる。これにより、通常時には、シートベルト４がシートベルト摺動面１４に対して摺動して突起１７にはほとんど当接しなく、仮に突起１７に当接してもその当接力はきわめて小さい。したがって、所定数の突起１７を設けてもタング６とシートベルト４との間の摺動抵抗を小さくできる。その結果、所定数の突起１７を設けても、通常時にはタング６をシートベルト４に対して容易にかつ滑らかに摺動させることができ、通常時のタング６の取り扱いを更に一層容易にすることができる。
【００５１】
更に、凹部１５,１６がシートベルト挿通方向と同方向またはほぼ同方向に設けられる
とともに、突起１７が凹部１５,１６の延設方向と同方向またはほぼ同方向に整列されて
設けられる。これにより、通常時でのタング６とシートベルト４との間の摺動性を良好にするとともに、緊急時でのラップベルト４ｃの伸出しを更に効果的に抑制することができる。
【００５２】
一方、この例のタング６を用いたシートベルト装置１によれば、通常時のタング６のシートベルト４に対する摺動を容易にかつ滑らかにできるとともに、緊急時の乗員の慣性移動によるシートベルト４の伸出しの際にシートベルト４のタング６に対する摺動が抑制されてラップベルト４ｃの伸出しをより効果的に抑制できる。これにより、通常時に乗員によるシートベルトの装着性をより一層向上することができるとともに、緊急時に乗員の拘束性をより一層向上することができる。
【００５３】
図６は、本発明のタングの実施の形態の他の例を模式的に示す、図３（ｂ）と同様の下面図である。
前述の例のタング６では、突起１７が長手方向に直線状に整列されるとともにシートベルト挿通方向に整列されて設けられているが、図６に示すようにこの例のタング６では、突起１７が長手方向およびシートベルト挿通方向のいずれの方向にも千鳥状に配設されている。この例のタング６の他の構成は、前述の例のタング６およびシートベルト装置１の他の構成は前述の例と同じである。また、この例のタング６およびシートベルト装置１の作用効果も前述の例と同じである。
【００５４】
なお、前述の例では樹脂モールド部９を設けるものとしているが、本発明のタングでは、樹脂モールド部９を省略することもできる。その場合には、凹部１５,１６および突起
１７をタングプレート８に設ける。凹部１５,１６の数および突起１７の数も前述の各例
に限定されることはなく、それぞれ任意の数を設けることができる。要するに、本発明のタングは、特許請求の範囲に記載された範囲で、種々の設計変更が可能である。
【産業上の利用可能性】
【００５５】
本発明のタングおよびシートベルト装置は、自動車等の車両に装備され、シートベルトにより乗員を拘束するシートベルト装置において、シートベルトに摺動可能に支持されかつバックルに係合されるタングおよびこれを備えたシートベルト装置に好適に利用することができる。
【符号の説明】
【００５６】
１…シートベルト装置、３…シートベルトリトラクタ、４…シートベルト、４ａ…ベルトアンカー、４ｂ…ショルダーベルト、４ｃ…ラップベルト、５…ベルトガイド、６…タング、７…バックル、８…タングプレート、９…樹脂モールド部、１０…バックル挿入部、
１２…ベルト挿通孔、１３…シートベルト摺動部材、１４…シートベルト摺動面、１５,
１６…凹部、１７…突起、１７ａ…ショルダーベルト側の端面、１７ｂ…ラップベルト側の端面、１７ｃ…先端、１７ｄ,１７ｅ…側端面
【図１】
0005808093.tif 000002
【図２】
0005808093.tif 000003
【図３】
0005808093.tif 000004
【図４】
0005808093.tif 000005
【図５】
0005808093.tif 000006
【図６】
0005808093.tif 000007